(57)【要約】【課題】少ない作業量で電線の被覆を剥ぎ、かつ、芯線を傷つけることを抑制できる電線皮剥工具を提供する。【解決手段】電線皮剥工具１において、固定刃物８は、回転軸方向から見て電線保持部４、５の内側に突出する。可動刃物９は、回転軸Ａに垂直な方向から見て一部が固定刃物８と重複し、回転軸Ａ方向から見て電線保持部４、５の内側に突出又は退避可能に刃物保持部６、７に取り付けられる。スペーサ１１は、可動刃物９に固定され、回転軸Ａ方向から見て可動刃物９よりも電線保持部４、５の内側に突出し、回転軸Ａに垂直な方向から見て固定刃物８と重複する。弾性部材１７は、可動刃物９及びスペーサ１１を電線保持部４、５の内側に突出する方向に付勢する。【選択図】図６
2020089148.tif 000002
【特許請求の範囲】
【請求項１】
電線の被覆を剥ぐ電線皮剥工具であって、
本体ユニットと、
前記本体ユニットに取り付けられ、前記本体ユニットによって回転軸周りに回転させられる刃物ユニットと、を備え、
前記刃物ユニットは、
前記刃物ユニットを開閉することで前記電線を保持可能な電線保持部と、
回転軸方向に沿って前記電線保持部に隣接する刃物保持部と、
前記刃物保持部に固定され、前記回転軸方向から見て前記電線保持部の内側に突出する固定刃物と、
回転軸に垂直な方向から見て一部が前記固定刃物と重複し、前記回転軸方向から見て前記電線保持部の内側に突出又は退避可能に前記刃物保持部に取り付けられた可動刃物と、
前記可動刃物に固定され、前記回転軸方向から見て前記可動刃物よりも前記電線保持部の内側に突出し、前記回転軸に垂直な方向から見て前記固定刃物と重複するスペーサと、
前記可動刃物及び前記スペーサを前記電線保持部の内側に突出する方向に付勢する弾性部材と、を含む、電線皮剥工具。
【請求項２】
請求項１に記載の電線皮剥工具であって、
前記スペーサの前記可動刃物からの突出量は、前記可動刃物の先端に向かうにつれ小さくなる、電線皮剥工具。
【請求項３】
請求項１又は請求項２に記載の電線皮剥工具であって、
前記電線保持部は、
固定電線保持部と、
前記刃物ユニットを開閉することで前記固定電線保持部と近接又は離間可能な可動電線保持部と、を含み、
前記刃物保持部は、
前記回転軸方向に沿って前記固定電線保持部に隣接する固定刃物保持部と、
前記回転軸方向に沿って前記可動電線保持部に隣接する可動刃物保持部と、を含み、
前記固定刃物は、前記可動刃物保持部に固定され、前記回転軸方向から見て前記可動電線保持部の内側に突出し、
前記可動刃物は、前記回転軸方向から見て前記固定電線保持部の内側に突出又は退避可能に前記固定刃物保持部に取り付けられた、電線皮剥工具。
【請求項４】
請求項１又は請求項２に記載の電線皮剥工具であって、
前記電線保持部は、
固定電線保持部と、
前記刃物ユニットを開閉することで前記固定電線保持部と近接又は離間可能な可動電線保持部と、を含み、
前記刃物保持部は、
前記回転軸方向に沿って前記固定電線保持部に隣接する固定刃物保持部と、
前記回転軸方向に沿って前記可動電線保持部に隣接する可動刃物保持部と、を含み、
前記固定刃物は、前記可動刃物保持部に固定され、前記回転軸方向から見て前記可動電線保持部の内側に突出し、
前記可動刃物は、前記回転軸方向から見て前記可動電線保持部の内側に突出又は退避可能に前記可動刃物保持部に取り付けられた、電線皮剥工具。
【発明の詳細な説明】
【技術分野】
【０００１】
本発明は、電線皮剥工具に関する。
【背景技術】
【０００２】
配電工事では、電線同士を接続するために電線の被覆を剥ぐことがある。電線の被覆を剥ぐ方法として、螺旋状に被覆を剥ぐ方法（以下、「螺旋式皮剥」という。）が知られている。螺旋式皮剥では、工具に取り付けられた刃物を、電線の中心軸周りに回転させつつ、電線の延在方向に進めながら所定区間の被覆を剥ぐ。このような螺旋式皮剥は、刃物と電線の被覆との接触面積が小さいため、被覆を剥ぐ際の抵抗が小さくて済む。しかしながら、螺旋式皮剥では所定区間の被覆を徐々に剥いでいくため、作業量が多くなりやすい。また、螺旋式皮剥では刃物を電線の延在方向に進めながら被覆を剥ぐため、初めに刃物を被覆に食い込ませた痕が被覆を剥いだ後の端面に残る。すなわち、螺旋式皮剥では被覆を剥いだ後、残った被覆の端面が平坦にならない。この平坦でない端面により、被覆が剥がれた所定区間に保護カバーを装着しにくい。
【０００３】
そこで、所定区間の被覆を一括で剥ぐ方法（以下、「一括式皮剥」という。）が提案されている。一括式皮剥ぎでは、刃物を電線の中心軸周りに１回転させるだけで被覆を剥ぐことができるため、螺旋式皮剥に比べて作業量が少なくて済む。また、一括式皮剥では螺旋式皮剥のように刃物を電線の延在方向に進めながら被覆を剥がないので、被覆を剥いだ後、残った被覆の端面が平坦となり、保護カバーを装着しやすい。
【０００４】
一括式皮剥はたとえば、特開平６−２６１４３２号公報（特許文献１）及び特開２０１７−１４７９０７号公報（特許文献２）に開示されている。
【０００５】
特許文献１及び特許文献２には、所定の刃幅を有する１つの刃物が取り付けられた工具が開示されており、この工具は刃物を電線の中心軸周りに１回転させることで所定の区間の被覆を剥ぐことができる。
【先行技術文献】
【特許文献】
【０００６】
【特許文献１】特開平６−２６１４３２号公報
【特許文献２】特開２０１７−１４７９０７号公報
【発明の概要】
【発明が解決しようとする課題】
【０００７】
しかしながら、特許文献１及び特許文献２に開示されるような一括式皮剥では、一定区間の被覆を一度に剥ぐため、被覆を剥ぐ際に刃物に負荷される抵抗が大きく、刃物や作業者に負担が大きい。
【０００８】
また、電線の被覆の内側には芯線があり、芯線は複数の金属線を撚って形成されている。この芯線の撚りの方向は、被覆を剥ぐ前に確認することはできない。被覆が刃物から受ける力は芯線に伝わるため、仮に一括式皮剥において刃物を回転させる方向が芯線の撚りと反対方向であれば、芯線は撚りを解く方向に力を受ける。芯線の撚りが解けると、芯線の直径が大きくなるため、芯線が刃物に当たり、傷つく可能性がある。
【０００９】
すなわち、螺旋式皮剥では被覆を剥ぐ際の抵抗は小さいが、作業量が多く、一括式皮剥では作業量は少ないが、被覆を剥ぐ際の抵抗が大きい。
【００１０】
本発明の目的は、少ない作業量で電線の被覆を剥ぎ、かつ、芯線を傷つけることを抑制できる電線皮剥工具を提供することである。
【課題を解決するための手段】
【００１１】
本発明による電線の被覆を剥ぐ電線皮剥工具は、本体ユニットと、刃物ユニットと、を含む。刃物ユニットは、本体ユニットに取り付けられ、本体ユニットによって回転軸周りに回転させられる。刃物ユニットは、電線保持部と、刃物保持部と、固定刃物と、可動刃物と、スペーサと、弾性部材と、を含む。電線保持部は、刃物ユニットを開閉することで電線を保持可能である。刃物保持部は、回転軸方向に沿って電線保持部に隣接する。固定刃物は、刃物保持部に固定され、回転軸方向から見て電線保持部の内側に突出する。可動刃物は、回転軸に垂直な方向から見て一部が固定刃物と重複し、回転軸方向から見て電線保持部の内側に突出又は退避可能に刃物保持部に取り付けられる。スペーサは、可動刃物に固定され、回転軸方向から見て可動刃物よりも電線保持部の内側に突出し、回転軸に垂直な方向から見て固定刃物と重複する。弾性部材は、可動刃物及びスペーサを電線保持部の内側に突出する方向に付勢する。
【発明の効果】
【００１２】
本発明による電線皮剥工具によれば、少ない作業量で電線の被覆を剥ぐことができ、かつ、芯線を傷付けることを抑制できる。
【図面の簡単な説明】
【００１３】
【図１】図１は、第１実施形態の電線皮剥工具の斜視図である。
【図２】図２は、図１に示す状態から刃物ユニットを開いた場合の第１実施形態の電線皮剥工具の斜視図である。
【図３】図３は、第１実施形態の電線皮剥工具によって電線の被覆を剥ぎ取っている状態を示す斜視図である。
【図４】図４は、第１実施形態の刃物ユニットの斜視図である。
【図５】図５は、第１実施形態の電線皮剥工具を回転軸方向に沿って先端側から見た図である。
【図６】図６は、図５に示す刃物ユニットから固定ガイド及び可動ガイドを外した図である。
【図７】図７は、図４中のＶＩＩ−ＶＩＩ線での断面図である。
【図８】図８は、第１実施形態の電線皮剥工具を回転軸に垂直な方向から見た図である。
【図９】図９は、図８の可動刃物、固定刃物及びスペーサを回転軸に垂直な方向から見た模式図である。
【図１０】図１０は、電線を保持する前の第１実施形態の電線皮剥工具を回転軸方向に沿って先端側から見た図である。
【図１１】図１１は、電線を保持している第１実施形態の電線皮剥工具を回転軸方向に沿って先端側から見た図である。
【図１２】図１２は、図１１に示す状態から刃物ユニットが回転した後の第１実施形態の電線皮剥工具を回転軸方向に沿って先端側から見た図である。
【図１３】図１３は、第２実施形態の電線皮剥工具の斜視図である。
【図１４】図１４は、第２実施形態の刃物ユニットの斜視図である。
【図１５】図１５は、第２実施形態の刃物ユニットを回転軸方向に沿って先端側から見た図である。
【図１６】図１６は、可動刃物の先端近傍の図である。
【発明を実施するための形態】
【００１４】
以下、図面を参照して、本発明の実施の形態を詳しく説明する。図中同一又は相当部分には同一符号を付してその説明は繰り返さない。
【００１５】
［第１実施形態］
図１は、第１実施形態の電線皮剥工具の斜視図である。電線皮剥工具１は、刃物ユニット２と、本体ユニット３と、を含む。
【００１６】
［本体ユニット］
本体ユニット３は、刃物ユニット２を回転軸Ａ周りに回転させる。本体ユニット３はたとえば、ハウジング内部にギアを含み、ギアが絶縁操作棒１０を介して伝達された回転駆動力を刃物ユニット２に伝達することで、刃物ユニット２を回転させる。本体ユニット３と刃物ユニット２とはたとえば、プランジャー、ボルト等によって固定される。なお、回転軸Ａは本体ユニット３の回転軸を意味する。本体ユニット３は、周知の構成であるので、その他の詳細な構造の説明は省略する。
【００１７】
［刃物ユニット］
図２は、図１に示す状態から刃物ユニットを開いた場合の第１実施形態の電線皮剥工具の斜視図である。刃物ユニット２は開閉可能であり、刃物ユニット２を開いた状態で電線２０を刃物ユニット２に挿入し、刃物ユニット２を閉じることで電線２０を保持する。
【００１８】
図３は、第１実施形態の電線皮剥工具によって電線の被覆を剥ぎ取っている状態を示す斜視図である。刃物ユニット２は回転軸Ａ周りに回転することで電線の被覆２１を剥ぎ取る。被覆２１を剥ぎ取った後、刃物ユニット２を開き、電線を取り出し、他の電線と接続作業を行う。なお、被覆を剥ぐ際には、電線皮剥工具を絶縁操作棒１０に取り付けて行う。以下、刃物ユニット２について詳述する。
【００１９】
図４は、第１実施形態の刃物ユニットの斜視図である。刃物ユニット２は、電線保持部４、５と、刃物保持部６、７と、固定刃物８と、可動刃物９と、スペーサ１１と、弾性部材と、を含む。
【００２０】
［電線保持部］
電線保持部は、固定電線保持部４と、可動電線保持部５と、を含む。
【００２１】
固定電線保持部４は、回転軸Ａ方向から見て湾曲した湾曲面を含み、回転軸Ａに沿って延びる。
【００２２】
可動電線保持部５は、回転軸Ａ方向から見て湾曲した湾曲面を含み、回転軸Ａに沿って延びる。可動電線保持部５は、固定電線保持部４と対をなす。可動電線保持部５は、固定電線保持部４とヒンジ部１３でヒンジ止めされており、刃物ユニット２の開閉と連動して固定電線保持部４に対してヒンジ部１３を中心に回転可能である。可動電線保持部５の湾曲面は固定電線保持部４の湾曲面と可動電線保持部５の回転方向において対向する。
【００２３】
すなわち、刃物ユニット２を開閉することで可動電線保持部５を固定電線保持部４に対して近接又は離間させ、電線を保持したり、保持を解いたりする。可動電線保持部５の湾曲面及び固定電線保持部４の湾曲面は、保持する電線の外周形状に一致又は電線の半径よりも小さい曲率を有する。
【００２４】
刃物ユニット２はさらに、固定ガイド３１と、可動ガイド３２とを含んでいてもよい。固定ガイド３１は、固定電線保持部４の先端に配置される。固定ガイド３１は回転軸Ａ方向から見て湾曲した湾曲面を含み、この湾曲面は固定電線保持部４の湾曲面よりも僅かに内側（回転軸Ａ側）に突出する。可動ガイド３２は、可動電線保持部５の先端に配置される。可動ガイド３２は回転軸Ａ方向から見て湾曲した湾曲面を含み、この湾曲面は可動電線保持部５の湾曲面よりも僅かに内側（回転軸Ａ側）に突出する。
【００２５】
このように固定ガイド３１及び可動ガイド３２を設けることにより、電線を片持ちではなく両持ちすることができ、より安定して電線を保持することができる。
【００２６】
［刃物保持部］
刃物保持部は、後述する固定刃物８及び可動刃物９を保持する。刃物保持部は、固定刃物保持部６と、可動刃物保持部７と、を含む。
【００２７】
固定刃物保持部６は、後述する可動刃物９を保持する。固定刃物保持部６は後述するようにピン１４によって可動刃物９を回転可能に保持する。固定刃物保持部６は、固定電線保持部４と一体である。
【００２８】
可動刃物保持部７は、後述する固定刃物８を保持する。可動刃物保持部７はたとえば、回転軸Ａ方向に延びる平坦面を含んでおり、その平坦面に固定刃物８を固定することで固定刃物８を保持する。可動刃物保持部７は、可動電線保持部５と一体である。たとえば、円筒を縦割りしたような部材の肉厚部分を可動刃物保持部７とし、円筒の内周面を可動電線保持部５とすることができる。
【００２９】
［固定刃物］
固定刃物８は、電線の被覆を剥ぐものである。固定刃物８は、可動刃物保持部７に固定される。固定方法は特に限定されないが、ねじ止め等の強固に固定できる方法であるのが好ましい。
【００３０】
固定刃物８の刃先は、回転軸Ａ方向に沿うように配置される。固定刃物８の刃先の回転軸Ａ方向の長さ（以下、「刃幅」という。）は、後述する可動刃物との重複部分を加味して電線の被覆を剥ぐ区間の長さの半分よりも少し長い。
【００３１】
図５は、第１実施形態の電線皮剥工具を回転軸方向に沿って先端側から見た図である。つまり、図５は、刃物ユニットから本体ユニットに向かう方向で見ている。固定刃物８は、回転軸Ａ方向から見て可動電線保持部５の湾曲面よりも内側（回転軸Ａ側）に突出する。固定刃物８の突出量は、対象とする電線の被覆の厚さ以下である。
【００３２】
［可動刃物］
可動刃物９は、電線の被覆を剥ぐものである。可動刃物９は、固定刃物保持部６に取り付けられる。可動刃物９は、固定電線保持部４の湾曲面よりも内側（回転軸Ａ側）に突出又は退避可能に固定刃物保持部６に取り付けられる。可動刃物９のより具体的な取付方法を図６を用いて説明する。
【００３３】
図６は、図５に示す刃物ユニットから固定ガイド及び可動ガイドを外した図である。可動刃物９は、刃先から所定の距離の位置に貫通孔を有し、貫通孔にピン１４を差し込んで固定刃物保持部６に取り付けられる。ピン１４は、回転軸Ａに沿う方向に差し込まれる。これにより、可動刃物９はピン１４を中心に回転することができ、固定電線保持部４の湾曲面よりも内側（回転軸Ａ側）に突出したり、湾曲面よりも外側に退避したりすることができる。可動刃物９の突出量は、対象とする電線の被覆の厚さ以下である。
【００３４】
図７は、図４中のＶＩＩ−ＶＩＩ線での断面図である。可動刃物９の突出量は可動刃物保持部に設けられたストッパーネジ１８によって制御するのが好ましい。ストッパーネジ１８は、ピン１４よりも可動刃物９の刃先側の部分に接触可能であり、ストッパーネジ１８が可動刃物９に接触することで可動刃物９の回転が止まる。図７では可動刃物９の位置決め用のストッパーネジと、位置決め用のストッパーネジの緩み止め用のストッパーネジとの２つを図示しているが、ストッパーネジは１つでもよい。
【００３５】
可動刃物９の刃先は、回転軸Ａ方向に沿うように配置される。可動刃物９の刃幅は、上述した固定刃物８と同様に電線の被覆を剥ぐ区間の長さの半分よりも少し長い。また、回転軸Ａの周方向における可動刃物９の刃先の向きは、固定刃物８の刃先の向きと同じである。すなわち、刃物ユニットがある一方向に回転すると、可動刃物９及び固定刃物８は双方とも電線の被覆を剥ぐ方向に回転する。
【００３６】
図８は、第１実施形態の電線皮剥工具を回転軸に垂直な方向から見た図である。回転軸Ａに垂直な方向から見て、可動刃物９の一部は固定刃物８と重複する。この点を模式図を用いて説明する。
【００３７】
図９は、図８の可動刃物、固定刃物及びスペーサを回転軸に垂直な方向から見た模式図である。すなわち、本明細書において「可動刃物の一部は固定刃物と重複する」とは、回転軸Ａ方向において、可動刃物９の固定刃物８側の端面１６が固定刃物８の可動刃物９側の端面１５よりも固定刃物８の中央側に位置していることを意味し、可動刃物の固定刃物側の端面１６が固定刃物の可動刃物側の端面１５と同じ位置である場合を含む。
【００３８】
［弾性部材］
図６を参照して、弾性部材１７は、可動刃物９及びスペーサ１１を固定電線保持部４の内側（回転軸Ａ側）に突出する方向に付勢する。たとえば、図６に示されるように、弾性部材１７は、ピン１４を挟んで可動刃物９の刃先と反対側を、可動刃物９及びスペーサ１１が固定電線保持部４の内側に突出する方向に付勢してもよい。また、弾性部材１７は、ピン１４を挟んで可動刃物９の刃先側を、可動刃物９及びスペーサ１１が固定電線保持部４の内側に突出する方向に付勢してもよい。
【００３９】
要するに、弾性部材１７による可動刃物９及びスペーサ１１の付勢位置は特に限定されず、可動刃物９及びスペーサ１１が固定電線保持部４の内側に突出する方向に付勢されていればよい。弾性部材１７はたとえば、ばね、ゴム等である。
【００４０】
［スペーサ］
図９を参照して、スペーサ１１は、可動刃物９の固定刃物８側の端面１６に固定される。したがって、スペーサ１１は可動刃物９と一体となって動くことが可能である。固定方法は特に限定されないが、ねじ止め等の強固に固定できる方法であるのが好ましい。また、スペーサの材質はたとえば、樹脂等である。
【００４１】
図６を参照して、スペーサ１１は、回転軸方向から見て可動刃物９よりも固定電線保持部４の湾曲面の内側（回転軸Ａ側）に突出する。これは、可動刃物９が固定電線保持部４よりも外側に退避している際であっても、内側に突出している際であっても同じである。
【００４２】
図９を参照して、回転軸Ａに垂直な方向から見て、スペーサ１１は固定刃物８と重複する。ここで、本明細書において「スペーサは固定刃物と重複する」とは、回転軸Ａ方向において、スペーサ１１の回転軸方向の両端面が固定刃物８の可動刃物９側の端面１５よりも固定刃物８の中央側に位置していることを意味し、スペーサ１１の固定刃物８側の端面２３が固定刃物の可動刃物側の端面１５と反対側の端面２４と同じ位置である場合を含む。したがって、スペーサ１１の回転軸Ａ方向の長さは、固定刃物８の刃幅よりも短い。
【００４３】
このような構成のスペーサ１１は、固定刃物８による電線の被覆の剥ぎ取りの終了を検知する。以下この点について第１実施形態の電線皮剥工具による電線の被覆の剥ぎ取り動作とともに説明する。
【００４４】
［電線皮剥工具の動作］
図１０は、電線を保持する前の第１実施形態の電線皮剥工具を回転軸方向に沿って先端側から見た図である。なお、図１０〜図１２では刃物ユニットの先端の固定ガイド及び可動ガイドの図示を省略している。電線２０を保持する際、刃物ユニット２を開き、固定電線保持部の内側に電線２０を収容する。スペーサ１１は固定電線保持部４の内側に突出しているため、電線２０を固定電線保持部４に収容することでスペーサ１１及び可動刃物９が、固定電線保持部４の外側に押し上げられる。したがって、可動刃物９は電線２０と接触しない。この状態から、可動電線保持部５を回転させて刃物ユニット２を閉じ、可動電線保持部５及び固定電線保持部４で電線２０を保持する。
【００４５】
図１１は、電線を保持している第１実施形態の電線皮剥工具を回転軸方向に沿って先端側から見た図である。可動電線保持部５及び固定電線保持部４が電線を保持すると、固定刃物８は可動電線保持部５の内側に突出しているため、固定刃物８が電線の被覆２１に食い込む。この状態から、本体ユニットを操作し、刃物ユニット２を回転軸Ａ周りに回転させる。ここで、可動電線保持部５の湾曲面及び固定電線保持部４の湾曲面は電線の外周形状とほぼ一致するため、回転軸Ａは電線の中心軸とほぼ一致する。したがって、刃物ユニット２が一回転すると、固定刃物８が電線の被覆２１を一周にわたって剥ぎ取る。
【００４６】
図９を参照して、上述したように、回転軸Ａに垂直な方向から見てスペーサ１１は固定刃物８と重複している。したがって、電線を保持した際、スペーサ１１は固定刃物８が剥ぎ取る電線の被覆と接触している。
【００４７】
図１１を参照して、固定刃物８が被覆２１を剥ぎ取ると、スペーサ１１が接していた被覆が存在しなくなる。スペーサ１１は弾性部材１７により固定電線保持部４の内側に突出するように付勢されているため、スペーサ１１が接していた被覆が存在しなくなれば、スペーサ１１が固定電線保持部４の内側に突出するようになるとともに、可動刃物９も固定電線保持部４の内側に突出するようになる。すなわちスペーサ１１は、固定刃物８が電線の被覆２１を剥ぎ取ったことを検知する役割を担う。
【００４８】
図１２は、図１１に示す状態から刃物ユニットが回転した後の第１実施形態の電線皮剥工具を回転軸方向に沿って先端側から見た図である。上述したように可動刃物９は、回転軸Ａに垂直な方向から見てその一部が固定刃物８と重複している。そのため、刃物ユニット２が回転し、固定刃物８が電線の被覆２１を剥ぎ取ると、可動刃物９の固定刃物８と重複していない部分が電線の被覆２１に食い込むようになる。
【００４９】
この状態からさらに刃物ユニット２が回転すると、可動刃物９が固定刃物８によって剥ぎ取られていない電線の被覆２１を剥ぎ取り、所定区間の電線の被覆の剥ぎ取りが完了する。なお、スペーサ１１が固定電線保持部４の内側に突出するタイミング、すなわち可動刃物９が被覆２１を剥ぎ取り始めるタイミングは、スペーサ１１と固定刃物８との回転軸Ａ周りの配置角度によって適宜調整できる。
【００５０】
［作業量及び芯線を傷つけることの抑制効果］
このような第１実施形態の電線皮剥工具によれば、刃物ユニット２を回転させることで所定区間の電線の被覆を剥ぎ取ることができ、螺旋式皮剥よりも少ない作業量で電線の被覆を剥ぎ取ることができる。
【００５１】
また、第１実施形態の電線皮剥工具によれば、所定区間の電線の被覆を固定刃物８、可動刃物９の順に２回に分けて剥ぎ取る。そのため、一括式皮剥よりも刃物と被覆との接触面積が小さいため、被覆を剥ぐ際の抵抗が小さくて済む。そのため、仮に固定刃物８及び可動刃物９を回転させる方向が芯線２２の撚りの方向と反対であっても、被覆の剥ぎ取りの際に芯線が撚りを解く方向に受ける力は小さくて済む。したがって、芯線の撚りが解けにくく、芯線の直径が大きくなりにくいため、固定刃物８及び可動刃物９が芯線を傷つけることを抑制できる。
【００５２】
なお、上述の説明では、固定刃物８が可動刃物保持部７に固定され、可動刃物９が固定刃物保持部６に取り付けられる場合について説明した。しかしながら、第１実施形態の電線皮剥工具はこれに限定されない。第１実施形態の電線皮剥工具では、固定刃物８が固定刃物保持部６に固定され、可動刃物９が可動刃物保持部７に取り付けられていてもよい。
【００５３】
また、上述の説明では、回転軸方向における固定刃物８及び可動刃物９の配置について、固定刃物８が本体ユニット３側に配置され、可動刃物９が可動電線保持部５側（先端側）に配置される場合について説明した。しかしながら、第１実施形態の電線皮剥工具はこれに限定されない。第１実施形態の電線皮剥工具では、回転軸方向において固定刃物８が固定電線保持部４側（先端側）に配置され、可動刃物９が本体ユニット３側に配置されてもよい。
【００５４】
以上、第１実施形態の電線皮剥工具について説明した。しかしながら、本発明の電線皮剥工具はこれに限定されず、次のような実施形態とすることもできる。
【００５５】
［第２実施形態］
第２実施形態の電線皮剥工具について説明する。以下の第２実施形態の電線皮剥工具の説明では、第１実施形態の電線皮剥工具と異なる構成のみ説明し、同じ構成は説明を省略する。
【００５６】
図１３は、第２実施形態の電線皮剥工具の斜視図である。第２実施形態の電線皮剥工具は、固定刃物８及び可動刃物９が双方とも可動刃物保持部７に取り付けられる点で第１実施形態の電線皮剥工具と異なる。
【００５７】
［刃物保持部］
図１４は、第２実施形態の刃物ユニットの斜視図である。可動刃物保持部７は、固定刃物８を保持する固定取付部と、可動刃物９を保持する可動取付部と、を含む。固定取付部は、第１実施形態の刃物取付部と同様であるので、その説明は省略する。可動取付部は可動電線保持部５から回転軸Ａ方向に延びるピン１４と、支持部材１２とを含む。
【００５８】
［可動刃物］
可動刃物９には可動取付部のピン１４が貫通しており、可動刃物９がピン１４を中心に回転できるように構成されている。このような構成により、回転軸Ａ方向から見て可動刃物９の刃先が、可動電線保持部５の内側に突出したり退避したりすることが可能となる。
【００５９】
［弾性部材］
弾性部材１７はたとえば、ねじりコイルばねである。弾性部材１７は、可動刃物９を貫通するピン１４に取り付けられ、可動刃物９及びスペーサを可動電線保持部５の内側に突出する方向に付勢する。
【００６０】
［支持部材］
図１５は、第２実施形態の刃物ユニットを回転軸方向に沿って先端側から見た図である。なお、図１５では刃物ユニットの先端側の部材の図示を省略し、内部構造を示している。支持部材１２は、先端にフックが設けられた棒状の部材である。支持部材１２のフックとは異なる端部は、可動電線保持部５にピン止め等により回転可能に取り付けられる。支持部材１２のフックは、可動刃物９を貫通するピン１４を挟んで可動刃物９の刃先と反対側を支持可能である。
【００６１】
可動刃物９は弾性部材により付勢されているため、可動刃物９の刃先は可動電線保持部５の内側を向こうとする。仮に、可動刃物９の回転を何ら制御しないとすると、電線保持部に電線を入れる際に可動刃物９の刃先が邪魔になったり、電線の被覆に触れて意図せぬ箇所の被覆が傷つく可能性がある。
【００６２】
そこで、刃物ユニット２を開いた状態のとき、支持部材１２のフックが可動刃物９のピン１４を挟んで刃先と反対側の部分を支持し、可動刃物９の刃先が可動電線保持部５の内側に向くことを防ぐ。これにより、電線の保持が容易になり、さらに意図せぬ箇所の被覆を傷つけることを抑制できる。
【００６３】
また、回転軸方向から見て、支持部材１２は可動電線保持部５の湾曲面よりも内側に位置している。この位置に支持部材１２があることで、刃物ユニット２を閉じた際に電線の被覆が支持部材１２に当たり、可動刃物９から支持部材１２のフックを外す構成となっている。
【００６４】
なお、上述の説明では、固定刃物８及び可動刃物９の双方が可動刃物保持部７に取り付けられる場合について説明した。しかしながら、第２実施形態の電線皮剥工具はこれに限定されない。第２実施形態の電線皮剥工具では、固定刃物８及び可動刃物９の双方が固定刃物保持部６に取り付けられていてもよい。
【００６５】
また、上述の説明では、回転軸方向における固定刃物８及び可動刃物９の配置が、固定刃物８が本体ユニット３側に配置され、可動刃物９が可動電線保持部５側（先端側）に配置される場合について説明した。しかしながら、第２実施形態の電線皮剥工具はこれに限定されない。第２実施形態の電線皮剥工具では、回転軸方向において固定刃物８が固定電線保持部４側（先端側）に配置され、可動刃物９が本体ユニット３側に配置されてもよい。
【００６６】
以上、第２実施形態の電線皮剥工具について説明した。続いて、第１実施形態及び第２実施形態に共通する好ましいその他の実施形態について説明する。
【００６７】
［その他の実施形態］
図１６は、可動刃物の先端近傍の図である。スペーサ１１の可動刃物９からの突出量Ｄは、可動刃物９の先端に向かうにつれ小さくなるのが好ましい。この理由について第１実施形態の電線皮剥工具を例に説明する。
【００６８】
上述したように、固定刃物による被覆の剥ぎ取りが終了するまで、可動刃物９よりも可動電線保持部の内側に突出したスペーサ１１のある部分が被覆２１と接触している。そのため、固定刃物によって剥ぎ取られた被覆があった場所にスペーサ１１が到達するまで可動刃物９が被覆２１を剥ぎ取ることはない。
【００６９】
しかしながら、スペーサ１１が固定刃物８によって剥ぎ取られた被覆があった場所に到達すると、スペーサ１１が接触していた被覆２１が無くなっているため、スペーサ１１及び可動刃物９はピンを中心に回転し、可動電線保持部の内側に突出するようになる。この際、仮に、スペーサ１１の可動刃物９からの突出量Ｄが可動刃物９の先端（刃先）まで一定であるとすると、可動刃物９の先端が芯線２２から突出量Ｄ以上離れた位置にあるため、可動刃物９が被覆２１に深く食い込みにくくなり、被覆２１が剥ぎ取りにくい。
【００７０】
そこで、スペーサ１１の可動刃物９からの突出量Ｄを可動刃物９の先端に向かうにつれ小さくすることで、スペーサ１１が芯線２２に当たった状態のとき、可動刃物９の先端が位置する芯線２２からの距離（突出量Ｄ）が小さくなり、被覆２１に深く食い込みやすくなる。
【００７１】
なお、上述の説明では、可動刃物９の突出量Ｄをストッパーネジで制御する場合について説明したが、可動刃物９の突出量Ｄの制御はこの場合に限定されない。たとえば、スペーサ１１を芯線２２に当てることで可動刃物９の突出量Ｄを制御してもよい。
【００７２】
以上説明したように、
（１）本実施形態の電線の被覆を剥ぐ電線皮剥工具は、本体ユニットと、刃物ユニットと、を含む。刃物ユニットは、本体ユニットに取り付けられ、本体ユニットによって回転軸周りに回転させられる。刃物ユニットは、電線保持部と、刃物保持部と、固定刃物と、可動刃物と、スペーサと、弾性部材と、を含む。電線保持部は、刃物ユニットを開閉することで電線を保持可能である。刃物保持部は、回転軸方向に沿って電線保持部に隣接する。固定刃物は、刃物保持部に固定され、回転軸方向から見て電線保持部の内側に突出する。可動刃物は、回転軸に垂直な方向から見て一部が固定刃物と重複し、回転軸方向から見て電線保持部の内側に突出又は退避可能に刃物保持部に取り付けられる。スペーサは、可動刃物に固定され、回転軸方向から見て可動刃物よりも電線保持部の内側に突出し、回転軸に垂直な方向から見て固定刃物と重複する。弾性部材は、可動刃物及びスペーサを電線保持部の内側に突出する方向に付勢する。
【００７３】
（２）上記（１）の電線皮剥工具において、スペーサの可動刃物からの突出量は、可動刃物の先端に向かうにつれ小さくなるのが好ましい。
【００７４】
（３）上記（１）又は（２）の電線皮剥工具において、電線保持部は、固定電線保持部と、刃物ユニットを開閉することで固定電線保持部と近接又は離間可能な可動電線保持部と、を含むのが好ましい。この場合、刃物保持部は、回転軸方向に沿って固定電線保持部に隣接する固定刃物保持部と、回転軸方向に沿って可動電線保持部に隣接する可動刃物保持部と、を含む。固定刃物は、可動刃物保持部に固定され、回転軸方向から見て可動電線保持部の内側に突出し、可動刃物は、回転軸方向から見て固定電線保持部の内側に突出又は退避可能に固定刃物保持部に取り付けられる。
【００７５】
（４）上記（１）又は（２）の電線皮剥工具において、電線保持部は、固定電線保持部と、刃物ユニットを開閉することで固定電線保持部と近接又は離間可能な可動電線保持部と、を含むのが好ましい。この場合、刃物保持部は、回転軸方向に沿って固定電線保持部に隣接する固定刃物保持部と、回転軸方向に沿って可動電線保持部に隣接する可動刃物保持部と、を含む。固定刃物は、可動刃物保持部に固定され、回転軸方向から見て可動電線保持部の内側に突出し、可動刃物は、回転軸方向から見て可動電線保持部の内側に突出又は退避可能に可動刃物保持部に取り付けられる。
【００７６】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【符号の説明】
【００７７】
１：電線皮剥工具
２：刃物ユニット
３：本体ユニット
４：固定電線保持部
５：可動電線保持部
６：固定刃物保持部
７：可動刃物保持部
８：固定刃物
９：可動刃物
１１：スペーサ
１７：弾性部材
２０：電線
２１：被覆
２２：芯線
Ａ：回転軸
Ｄ：突出量
【図１】
2020089148.tif 000003
【図２】
2020089148.tif 000004
【図３】
2020089148.tif 000005
【図４】
2020089148.tif 000006
【図５】
2020089148.tif 000007
【図６】
2020089148.tif 000008
【図７】
2020089148.tif 000009
【図８】
2020089148.tif 000010
【図９】
2020089148.tif 000011
【図１０】
2020089148.tif 000012
【図１１】
2020089148.tif 000013
【図１２】
2020089148.tif 000014
【図１３】
2020089148.tif 000015
【図１４】
2020089148.tif 000016
【図１５】
2020089148.tif 000017
【図１６】
2020089148.tif 000018